(57)【要約】      （修正有）【課題】容易に組立て可能な筆記具セットを提供する。【解決手段】溶剤、着色剤、樹脂、その他の添加物を配合した筆記具用インキであって、炭酸塩、有機酸、糖類、着色素材を混合し圧力で固めた着色剤ペレットを少なくとも１色をセットに収納し、透明樹脂からなる筆記具本体をセットに収納し、添加剤と溶剤と樹脂を混合した混合溶剤の補充容器をセットに収納し、ペン芯、ペン芯ホルダー、インキ供給部をセットに収納し、使用時に添加剤と溶剤と樹脂を混合した混合溶剤を筆記具本体に注入し、ペン芯、ペン芯ホルダー、インキ供給部を筆記具本体開口端に組付けて筆記具を用意に作成可能とした組立て筆記具セットである。【選択図】図１
2005280283.tif 000002
【特許請求の範囲】
【請求項１】
溶剤、着色剤、樹脂、その他の添加物を配合した筆記具用インキであって、炭酸塩、有機酸、糖類、着色素材を混合し圧力で固めた着色剤ペレットを少なくとも１色をセットに収納し、透明樹脂からなる筆記具本体をセットに収納し、添加剤と溶剤と樹脂を混合した混合溶液の補充容器をセットに収納し、ペン芯、ペン芯ホルダー、インキ供給部をセットに収納し、使用時に添加剤と溶剤と樹脂を混合した混合溶剤を筆記具本体に注入し、ペン芯、ペン芯ホルダー、インキ供給部を筆記具本体開口端に組付けて筆記具を用意に作成可能としたことを特徴とする組立て筆記具セット。
【発明の詳細な説明】
【技術分野】
【０００１】
本願発明は、溶剤、着色剤、樹脂、その他の添加物を配合した筆記具用インキで、主に着色剤をペレット状にしてセットケースに収納し、筆記具本体の中で前記着色剤ペレットにセットケースに収納し、添加剤と溶剤を混合配合した混合溶液の補充容器をセットケースに収納し、インキ供給部、ペン芯、ペン芯ホルダー、キャップをセットケースに収納した組立て筆記具セットに関するものである。
【背景技術】
【０００２】
従来、液状タイプの筆記具は、工場において顔料・染料の着色剤や溶剤やその他の添加剤（活性剤、粘度調整剤、樹脂、ＰＨ調節剤等）を事前に配合した筆記具用インキを筆記具の本体内に液状状態のインキのままで収納している。そして前記液状インキをペン先へ送る部材のなかで液状インキ供給部によくあるのは、弁構造を有した液状インキ筆記具であるとか、櫛歯状インキ供給部を有する液状インキ筆記具でインキタンクに連設させ、前記弁構造の先端や前記櫛歯状インキ供給部の先端を覆うようにペン芯ホルダーとペン先を設けている。
こうした筆記具用インキは、とかく長期に放置した場合や長期輸送移動の場合、インキの分離が生じやすいとかインキ漏れが生じ周囲の物を汚してしまう場合がある。
【０００３】
更に、こうした筆記具用インキを使用した筆記具においては、長期輸送の場合ペン芯内でインキ下がりが生じ、筆記時のインキの濃淡が生じる。
そこで、使用時にインキを供給する筆記具としてカートリッジを使用したものがある。これらカートリッジを使用時に筆記具に組付け、ペン芯へインキを伝達させる。
商品としては、万年筆、筆ペン等がある。これらは、使用時に本体内部に分離収納されているカートリッジを取り出し、再度インキ供給部へ前記インキカートリッジを組付けて、インキ供給部とペン芯にインキを伝達させる。
商品では、インキカートリッジを各色取り揃えてインキ選択を使用者が自由に行なえるようにしている。
【０００４】
しかし、この筆記具用インキは、既に生産工場でインキとしての完成したものをカートリッジに収納しており、同様に、カートリッジ内でとかく長期に放置した場合、インキの分離・沈殿が生じやすくなる。また、カートリッジ内のインキは有色であるのでカートリッジの不良等でインキ漏れの原因となる。そうした場合、有色インキは周囲を汚すこと
になる。
また、一般に使用者が使用者自ら組付ける筆記具セットは殆ど無く、その原因は特に上記の様に、筆記具用インキを作成するには樹脂や染料の溶解が難しく、着色剤（顔料又は染料）が取り扱い難い（手を汚す）ものであるためである。また、着色剤と溶剤の均一な混合が出来ないといった問題が生じる。
【０００５】
こうしたことより次に、本発明で使用する筆記具用インキに使用する発泡剤については、別途発泡剤と共に固形化して溶剤の中で発泡剤と共に溶け出し溶剤に着色するものとしてはよく知られているものに入浴剤がある。
筆記具とは使用状態、その目的及び構成要素が異なるが、こうした入浴剤そのものの先願には、特開平８−３１９２２８号（以下、（イ）とする。）、実公平６−３５９３号（以上、（ロ）とする。）がある。
【０００６】
（イ）は固形錠剤型浴用剤組成物であり、芳香族エステル類と炭酸塩及び有機酸を含有させたものである。特に（イ）は、水又は湯に対する溶解時間の短縮を図るものであり、その発明が解決しようとする課題には従来の固形錠剤型浴用剤組成物の溶解性は、十分でなくより速やかに溶解し、香り立ちがマイルドである固形錠剤型浴用剤組成物を提供することが記載されている。しかしながら、（イ）は浴用剤であり、本願が使用する筆記具のインキとはその性格及び使用条件等が全く異なるものである。
【０００７】
（ロ）は、玩具入り入浴剤であり外殻を形成する水溶性の固形入浴剤の内部に比重が１以下の玩具を収容したものである。本願発明と全くその目的構成はことにしているが、（ロ）の従来の技術の欄に、湯に清涼感を与えるために着色剤を添加する記載と、香りを付すために香料を添加した入浴剤の記載がある。
しかし、従来技術の（イ）（ロ）は、あくまでも入浴剤であり、本願発明が目的とする筆記具のインキとは明らかに異なるものである。
【０００８】
【特許文献１】特開平８−３１９２２８号公報      特許請求の範囲
【特許文献２】実公平６−３５９３号公報        実用新案登録請求の範囲
【発明の開示】
【発明が解決しようとする課題】
【０００９】
従来、カートリッジ式の万年筆や筆ペンは、カートリッジに既に完成された液式インキが収納され又は別で販売ており、長期輸送時や長期保管時にカートリッジ内のインキが沈降したり、分離したりする。更に輸送時、カートリッジ内からインキ漏れが生じやすく、インキ漏れが生じた場合は、有色インキのため周囲の物を汚す結果となる。
【００１０】
また既に筆記具本体に液状インキを収納した筆記具は、ペン芯までインキが伝達されているのでペン芯内でのインキの分離が生じるほか、インキ漏れの際には周囲を汚す恐れがある。
更に又、ただ単に着色剤と溶剤を分離していれば使用時に筆記具として使用者が自ら筆記具用インキ及び筆記具を作成するのに着色剤の取り扱いや溶解性の問題となっている。
【課題を解決するための手段】
【００１１】
溶剤、着色剤、樹脂、その他の添加物を配合した筆記具用インキであって、炭酸塩、有機酸、糖類、着色素材を混合し圧力で固めた着色剤ペレットを少なくとも１色をセットに収納し、透明樹脂からなる筆記具本体をセットに収納し、添加剤と溶剤と樹脂を混合した混合溶剤の補充容器５をセットに収納し、ペン芯、ペン芯ホルダー、インキ供給部をセットに収納し、使用時に添加剤と溶剤と樹脂を混合した混合溶剤を筆記具本体に注入し、ペン芯、ペン芯ホルダー、インキ供給部を筆記具本体開口端に組付けて筆記具を容易に作成可能としたことを特徴とする組立て筆記具セットである。
【発明の効果】
【００１２】
以上のような組立て筆記具セットであるので、使用者が手を汚すことなく、筆記具の容器（本体）を使用して自由に、容易に筆記具用インキを溶解でき、筆記具を作成できる。
インキ色も使用者の自由に選定でき、使用する直前にインキを作成するため長期移動時のインキ貯蔵部でのインキ沈殿や分離をなくすことが出来、着色剤と溶剤を分離しているためインキ漏れによる汚れがない。
溶剤が漏れても無色透明であるので周囲を染着することはない。
【発明を実施するための最良の形態】
【００１３】
溶剤、着色剤、樹脂、その他の添加物を配合した筆記具用インキであって、炭酸塩、有機酸、糖類、着色素材を混合し圧力で固めた着色剤ペレット７を少なくとも１色をセットに収納し、透明樹脂からなる筆記具本体をセットに収納し、添加剤と溶剤と樹脂を混合した混合溶剤の補充容器５をセットに収納し、ペン芯３、ペン芯ホルダー６、インキ供給部をセットに収納し、使用時に添加剤と溶剤と樹脂を混合した混合溶剤を筆記具本体１に注入し、ペン芯３、ペン芯ホルダー６、インキ供給部を筆記具本体１開口端に組付けて筆記具を容易に作成可能としたことを特徴とする組立て筆記具セットである。
【００１４】
本発明を詳細に説明する。
先ずインキとなる筆記具用インキ組成について説明する。
着色剤ペレット７は、炭酸塩、有機酸、糖類、着色素材からなるものである。
そして、これら素材を混合させ均一に分布させて、圧力をかけてペレット状に固める。
特に圧力は、前記の混合物が固まれば問わない。
着色素材は、人体に安全な食品添加物でもある合成食用色素が使用可能である。特に例えば、食用赤色１０２号（アイゼン保土谷（株）：ニューコクシン）、食用青色１号（アイゼン保土谷（株）：ブリリアントブルーＦＣＦ）、食用黄色４号（アイゼン保土谷（株）：タートラジン）を使用し、着色のために使用する。
【００１５】
前記着色剤は、水性染料で１〜１０００ミクロンに粉砕した粉末状、顆粒状のものを使用する。１粒のペレットの中には染料成分が、１ペレット中に０．００１重量％〜５０重量％を配合することが出来る。
着色剤ペレット７は、色の３原色から３色を使用することができる。
炭酸塩は、水中で有機酸と反応して炭酸ガスを発生し、これと同時にペレット状態を倒壊させ溶剤に溶ける助長剤としている。
【００１６】
炭酸塩としては、炭酸水素ナトリウム、炭酸ナトリウム、炭酸水素カリウム、炭酸カリウム、炭酸カルシウム、炭酸マグネシウム、セスキ炭酸ナトリウム等が使用可能である。
有機酸としては、クエン酸、コハク酸、フマル酸、リンゴ酸、酒石酸等である。
溶剤中で炭酸塩と反応しより激しく発泡する。
糖類は、ブドウ糖、ショ糖、乳酸、ソルビットなどの単糖類、二糖類、多糖類（でんぷん）を使用することが出来き、錠剤の成形する際のつなぎ（バインダー）となる。
着色剤ペレット７の実施例を詳細に説明する。
【実施例１】
【００１７】
実施例１は、ニューコクシン  １５重量％、炭酸水素ナトリウム  ４０重量％、乳糖  ３５重量％、クエン酸  １０重量％の混合物を型に入れ圧力を掛け固める。
１粒の重さは、凡そ０．３ｇでニューコクシンは実質０．０４５ｇである。
【実施例２】
【００１８】
実施例２は、ブリリアントブルーＦＣＦ  １０重量％、炭酸ナトリウム  １０重量％、炭酸マグネシウム  ３０重量％、乳糖  ３５重量％、クエン酸  １５重量％の混合物を型に入れ圧力を掛け固める。
１粒の重さは、凡そ０．４ｇでブリリアントブルーＦＣＦは実質０．０４ｇである。
【実施例３】
【００１９】
実施例３は、タートラジン  ２０重量％、炭酸ナトリウム  １５重量％、炭酸カリウム  ３０重量％、ブドウ糖  ２０重量％、コハク酸  １５重量％の混合物を型に入れ圧力を掛け固める。
１粒の重さは、凡そ０．４ｇでタートラジンは実質０．０８ｇである。
着色剤ペレット７の大きさは本実施例１から３の大きさに限定されるものではなく自由に選択可能であり、その中に含有される食用染料の量も１ペレット中に０．００１重量％〜５０重量％を配合することが可能であるのでその自由度は大きい。
前記着色剤ペレット７を実施例４以下の筆記具用インキとする。
溶剤は、水系の溶剤を用いる。例えば、水単独や水とダイナマイトグリセリンの混合溶剤等が使用可能である。
【００２０】
特に任意の添加剤として、防腐防カビ剤、筆記乾燥性添加剤、インキ浸透性添加剤を浸透補助剤として配合可能であり、更に、他の添加剤として粘度調整剤を配合することも可能である。
具体的には、防腐防カビ剤は、バイオデンＳ（大和化学（株））、筆記乾燥性とインキ浸透性を有するために、商品名：ネオコールＳＷＣ（第一工業製薬株式会社）、商品名：ネオゲンＴ（第一工業製薬株式会社）、ＢＤＧ（ブチルジグリコール）等が配合可能である。
こうした溶剤は、前記溶剤、防腐防カビ剤、筆記乾燥性添加剤、インキ浸透性添加剤を浸透補助剤、粘度調整剤等とともに配合可能であり、混合溶剤用容器に入れている。
【００２１】
次に、組立て筆記具セットのセット内容と組立て方法を詳細に説明する。
組立て筆記具セットの内容は、筆記具本体１、ペン芯３、ペン芯ホルダー６、インキ供給部２、キャップ、着色剤ペレット７、溶剤を入れた補充容器５をセットケースに収納している。
特に、前記筆記具本体１、ペン芯３、ペン芯ホルダー６、キャップ４の材質や種類は問わない。
インキ供給部２の種類、例えば弁構成、櫛歯状インキ供給部２、その他のインキ供給部２が使用可能である。
ペン芯３は、繊維芯であり、使用できる素材であれば合成繊維、天然繊維等その材質は問わない。
筆記具本体１は、アルミ容器、熱可塑性樹脂、熱可塑性樹脂等が使用できる。特に透明とするなら合成樹脂容器となる。キャップ４とペン芯ホルダー６は、熱可塑性樹脂、熱硬化性樹脂等の合成樹脂が使用可能である。
【００２２】
補充容器５は、溶剤、樹脂とその他の活性剤が混合されて入っている。補充容器５は、合成樹脂製の容器である。
筆記具本体１に実施例１、２、３のうち少なくとも１種類を入れ、スタンド等に筆記具本体１に立てる。そして混合溶剤用容器から筆記具本体１内に混合溶剤を注入する。
すると、筆記具本体１内に入れられた着色剤ペレット７と溶剤が反応して、発泡し始める。
発泡していくとガスが発生し、前記ガスが発泡し終わると弁機構や櫛歯状のインキ供給部２を筆記具本体１の開口端に組付ける。そしてペン芯ホルダー６を前記弁機構や櫛歯状インキ供給部２を取り付けた筆記具本体１開口端にねじ嵌合や圧入嵌合等で組付ける。
ここでインキ供給部２は弁機構であっても櫛歯状インキ供給部２であっても良く、ペン芯３へインキを伝達させることが出来ればその構成は問わない。
そして、最後にペン芯３を前記ペン芯ホルダー６に組付け、キャップ４を行い筆記具は完成する。
こうした組立て筆記具を実施例４で詳細に説明する。
【実施例４】
【００２３】
実施例１の着色剤ペレット６粒（染料量は、実質０．２７g）を使用し、ダイナマイトグリセリン  ２５重量％、水  ７５重量％、バイオデンＳ  １．０重量％、で筆記具用インキとなる。
前記着色剤ペレット６粒は当初より筆記具本体１に収納されている。またダイナマイトグリセリン  ２５重量％、水  ７５重量％、バイオデンＳ  １．０重量％を混合溶剤として補充容器５に入れている。
次に、組立て筆記具セットのセット内容と組立て方法を詳細に説明する。
組立て筆記具セットの内容は、筆記具本体１、ペン芯３、ペン芯ホルダー６、インキ供給部２、キャップ４、着色剤ペレット、混合溶剤を入れた補充容器５をセットケースに収納している。
筆記具本体１は、筒状で一方を開口端としており、前記開口端を塞ぐようにインキ供給部２を嵌着させ、前記開口端を覆い隠すように開口端の周囲には螺子が設けられており、ペン芯ホルダー６を螺子嵌合している。
【００２４】
このとき、インキ供給部２は従来型の弁構成のものである。
本実施例では、繊維芯のペン芯３を保持したペン芯ホルダー６と筆記具本体１との嵌合は螺子嵌合である。
組立て方法は、筆記具本体１を開口端を上にして立て、前記筆記具本体１に補充容器５に入っている混合溶剤を注入する。すると、筆記具本体１に設けられた着色剤ペレット７と前記混合溶剤が反応し炭酸塩と有機酸により炭酸が発生し、着色剤ペレット７を分解し、インキとして溶解性を高めることが出来る。
前記の炭酸ガスの発生が止まると混合溶剤中に着色剤が均一化する。すると筆記具本体１開口端にインキ供給部２を圧入嵌合し、前記の開口端を塞ぐ。
更に前記筆記具開口端の螺子嵌合部にペン芯ホルダー６を螺子嵌合している。そしてペン芯３をペン芯ホルダー６に挿入し組み立てる。
【実施例５】
【００２５】
実施例２の着色剤ペレット１０粒（染料量は、実質０．４g）を使用し、ダイナマイトグリセリン  ２５重量％、水  ７５重量％、エタノール  １０重量％、バイオデンＳ  １．０重量％、で筆記具用インキとなる。
従って、前記着色剤ペレット１０粒は筆記具本体１に収納されている。またダイナマイトグリセリン  ２５重量％、水  ７５重量％、エタノール  １０重量％、バイオデンＳ  １．０重量％を混合溶剤として補充容器５に入れている。
次に、組立て筆記具セットのセット内容と組立て方法を詳細に説明する。
組立て筆記具セットの内容は、筆記具本体１、ペン芯３、ペン芯ホルダー６、インキ供給部２、キャップ４、着色剤ペレット７、混合溶剤を入れた補充容器５をセットケースに収納している。
筆記具本体１は、筒状で一方を開口端としており、前記開口端を塞ぐようにインキ供給部２を嵌着させ、前記開口端を覆い隠すように開口端の周囲には螺子が設けられている。
このとき、インキ供給部２は従来型の櫛歯状のものである。ペン芯３は、合成樹脂からなるサインペンである。
【００２６】
本実施例では、サインペンのペン芯３を保持したペン芯ホルダー６と筆記具本体１との嵌合は螺子嵌合である。
組立て方法は、筆記具本体１を開口端を上にして立て、前記筆記具本体１に補充容器５に入っている混合溶剤を注入する。すると、筆記具本体１に設けられた着色剤ペレット７と前記混合溶剤が反応し炭酸塩と有機酸により炭酸が発生し、着色剤ペレット７を分解し、インキとして溶解性を高めることが出来る。
前記の炭酸ガスの発生が止まると混合溶剤中に着色剤が均一化する。すると筆記具本体１開口端にインキ供給部２を圧入嵌合し、前記の開口端を塞ぐ。
更に前記筆記具開口端の螺子嵌合部にペン芯ホルダー６を螺子嵌合している。そしてペン芯３をペン芯ホルダー６に挿入し組み立てる。
【実施例６】
【００２７】
実施例３の着色剤ペレット１０粒（染料量は、実質０．８g）を使用し、ダイナマイトグリセリン  ２５重量％、水  ７５重量％、エタノール  １０重量％、バイオデンＳ  １．０重量％、で筆記具用インキとなる。
従って、前記着色剤ペレット１０粒は筆記具本体１に収納されている。またダイナマイトグリセリン  ２５重量％、水  ７５重量％、エタノール  １０重量％、バイオデンＳ  １．０重量％を混合溶剤として補充容器５に入れている。
次に、組立て筆記具セットのセット内容と組立て方法を詳細に説明する。
組立て筆記具セットの内容は、筆記具本体１、ペン芯３、ペン芯ホルダー６、インキ供給部２、キャップ４、着色剤ペレット７、混合溶剤を入れた補充容器５をセットケースに収納している。
筆記具本体１は、筒状で一方を開口端としており、前記開口端を塞ぐようにインキ供給部２を嵌着させ、前記開口端を覆い隠すように開口端の周囲には螺子が設けられている。
このとき、インキ供給部２は従来型の櫛歯状のものである。ペン芯３は、ボールペンのペン先である。
【００２８】
本実施例では、ボールペンのペン芯３を保持したペン芯ホルダー６と筆記具本体１との嵌合は螺子嵌合である。
組立て方法は、筆記具本体１を開口端を上にして立て、前記筆記具本体１に補充容器５に入っている混合溶剤を注入する。すると、筆記具本体１に設けられた着色剤ペレット７と前記混合溶剤が反応し炭酸塩と有機酸により炭酸が発生し、着色剤ペレット７を分解し、インキとして溶解性を高めることが出来る。
前記の炭酸ガスの発生が止まると混合溶剤中に着色剤が均一化する。すると筆記具本体１開口端にインキ供給部２を圧入嵌合し、前記の開口端を塞ぐ。
更に前記筆記具開口端の螺子嵌合部にペン芯ホルダー６を螺子嵌合している。そしてペン芯３をペン芯ホルダー６に挿入し組み立てる。
【図面の簡単な説明】
【００２９】
【図１】本発明の実施例の筆記具セット全体図
【符号の説明】
【００３０】
１  ：筆記具本体
２  ：インキ供給部
３  ：ペン芯
４  ：キャップ
５  ：補充容器
６  ：ペン芯ホルダー
７  ：着色剤ペレット
【図１】
2005280283.tif 000003